(57)【要約】減速機は、回転軸を中心に回転可能であり且つ回転軸から見て長径及び短径を有する回転部材と、周方向に並ぶ複数の外歯を有する外歯歯車と、周方向に並ぶ複数の内歯を有し且つ回転軸を囲む環状である内歯歯車と、を備える。外歯歯車は、回転軸を囲む筒状であり且つ径方向に変形可能である筒部をさらに有する。回転部材の径方向外側における側面は、筒部の径方向内側における筒部内側面と摺動可能且つ直接に接する。複数の外歯は、筒部の径方向外側における側面に設けられる。複数の内歯は、内歯歯車の径方向内側における側面に設けられる。回転部材の長径方向において、外歯歯車の外歯は、内歯歯車の内歯と噛み合う。【選択図】図１
2019038983.tif 000002
【特許請求の範囲】
【請求項１】
回転軸を中心に回転可能であり且つ前記回転軸から見て長径及び短径を有する回転部材と、
周方向に並ぶ複数の外歯を有する外歯歯車と、
周方向に並ぶ複数の内歯を有し且つ前記回転軸を囲む環状である内歯歯車と、
を備え、
前記外歯歯車は、前記回転軸を囲む筒状であり且つ径方向に変形可能である筒部をさらに有し、
前記回転部材の径方向外側における側面は、前記筒部の径方向内側における筒部内側面と摺動可能且つ直接に接し、
複数の前記外歯は、前記筒部の径方向外側における側面に設けられ、
複数の前記内歯は、前記内歯歯車の径方向内側における側面に設けられ、
前記回転部材の長径方向において、前記外歯歯車の前記外歯は、前記内歯歯車の前記内歯と噛み合う減速機。
【請求項２】
前記外歯歯車は、前記回転軸と平行な軸方向において、前記回転部材よりも軸方向一方側に位置する蓋部をさらに有し、
前記筒部は、前記蓋部から軸方向他方側に延び、
前記回転部材の径方向外側における側面は、前記回転部材の長径方向において、軸方向他方側に向かうにつれて径方向外側に傾く傾斜面を含む請求項１に記載の減速機。
【請求項３】
軸方向に対する前記傾斜面の傾斜角度は、０．１°以上且つ１．０°以下である請求項２に記載の減速機。
【請求項４】
軸方向に対する前記傾斜面の傾斜角度は、前記回転部材の長径方向から短径方向に向かうにつれて小さくなり、長径方向成分と短径方向成分とが同じ割合となる中間方向において０°となる請求項３に記載の減速機。
【請求項５】
前記傾斜面は、前記回転部材の短径方向において、軸方向他方側に向かうにつれて径方向内側に傾く請求項４に記載の減速機。
【請求項６】
前記回転部材の短径方向において、前記回転部材の径方向外側における側面は、前記筒部内側面から径方向内側に離れている請求項１〜請求項４のいずれかに記載の減速機。
【請求項７】
前記回転部材の中間方向から短径方向において、前記回転部材の径方向外側における端部は、軸方向から見て直線状である請求項６に記載の減速機。
【請求項８】
前記回転部材と前記外歯歯車の前記筒部とのうちの少なくとも一方が被覆膜を有する請求項１〜請求項７のいずれかに記載の減速機。
【請求項９】
前記被覆膜は、ＤＬＣ膜、フッ素樹脂膜、潤滑剤を含む樹脂膜、及び、フッ素樹脂を含むニッケルめっきのうちのいずれかであり、
前記潤滑剤は、グラファイト、二硫化モリブデン、及びフッ素樹脂のうちの少なくともいずれかを含む請求項８に記載の減速機。
【請求項１０】
前記被覆膜は、ＤＬＣ膜、及び、フッ素樹脂を含むニッケルめっきのうちのどちらかであり、
前記被覆膜の算術平均粗さが、０．２［μｍ］以下である請求項８に記載の減速機。
【請求項１１】
前記被覆膜は、フッ素樹脂膜、及び、潤滑剤を含む樹脂膜のうちのどちらかであり、
前記潤滑剤は、グラファイト、二硫化モリブデン、及びフッ素樹脂のうちの少なくともいずれかを含み、
前記被覆膜の算術平均粗さが、０．４［μｍ］以下である請求項８に記載の減速機。
【請求項１２】
前記筒部は、前記被覆膜に含まれる筒部被覆膜を有し、
前記筒部被覆膜は、前記筒部内側面のうちの少なくとも前記回転部材と接する領域に設けられる請求項８〜請求項１１のいずれかに記載の減速機。
【請求項１３】
前記回転部材は、前記被覆膜に含まれる回転部被覆膜を有し、
前記回転部被覆膜は、前記回転部材の径方向外側における側面のうちの少なくとも前記筒部内側面と接する領域に設けられる請求項８〜請求項１２のいずれかに記載の減速機。
【請求項１４】
前記回転部材の主材料は、含油焼結金属である請求項１〜請求項１２のいずれかに記載の減速機。
【請求項１５】
前記回転部材の主材料は、セラミック及びプラスチックのうちのいずれかである請求項１〜請求項１３のいずれかに記載の減速機。
【請求項１６】
前記外歯歯車を介して、前記回転部材の回転力を前記内歯歯車に伝達する波動歯車減速機である請求項１〜請求項１５のいずれかに記載の減速機。
【発明の詳細な説明】
【技術分野】
【０００１】
本発明は、減速機に関する。
【背景技術】
【０００２】
従来、電動機などから得られる動力を減速させて出力する減速機が知られている。たとえば、日本国公開公報特開２０１０−４５８２号公報は、ウェーブジェネレータから薄肉ベアリングを介してフレクスプラインに伝達される回転力を減速してサーキュラスプラインから出力する波動歯車減速機を教示している。ウェーブジェネレータにより楕円形状に撓められたフレクスプラインの外歯車は、長軸の部分ではサーキュラスプラインの内歯車と噛合し、短軸の部分では内歯車から離れている。そのため、ウェーブジェネレータが時計回りに１回転すると、フレクスプラインは、外歯車及び内歯車の歯数差の分、サーキュラスプラインよりも反時計回りに移動する。従って、サーキュラスプラインがフレクスプラインのこのような回転を出力することにより、波動歯車減速機は、該歯数差に応じた減速比を得ることができる。従来では、薄肉ベアリングには、ボールベアリングが用いられる。
【先行技術文献】
【特許文献】
【０００３】
【特許文献１】日本国公開公報：特開２０１０−４５８２号公報
【発明の概要】
【発明が解決しようとする課題】
【０００４】
しかしながら、ボールベアリングの小型化はその構造の点で限界がある。該限界に伴って、減速機の小型化も難しくなっていた。また、ボールベアリングは小型化するほど高価になる。そのため、減速機の製造コストも小型化するほど増大してしまっていた。【０００５】
本発明は、より小型化且つ安価な減速機を提供することを目的とする。
【課題を解決するための手段】
【０００６】
本発明の例示的な減速機は、回転軸を中心に回転可能であり且つ前記回転軸から見て長径及び短径を有する回転部材と、周方向に並ぶ複数の外歯を有する外歯歯車と、周方向に並ぶ複数の内歯を有し且つ前記回転軸を囲む環状である内歯歯車と、を備え、前記外歯歯車は、前記回転軸を囲む筒状であり且つ径方向に変形可能である筒部をさらに有し、前記回転部材の径方向外側における側面は、前記筒部の径方向内側における筒部内側面と摺動可能且つ直接に接し、複数の前記外歯は、前記筒部の径方向外側における側面に設けられ、複数の前記内歯は、前記内歯歯車の径方向内側における側面に設けられ、前記回転部材の長径方向において、前記外歯歯車の前記外歯は、前記内歯歯車の前記内歯と噛み合う構成とされる。
【発明の効果】
【０００７】
本発明の例示的な減速機によれば、より小型化且つ安価な減速機を提供することができる。
【図面の簡単な説明】
【０００８】
【図１】図１は、減速機の一例を示す断面図である。
【図２】図２は、軸方向前側から見た減速機の正面図である。
【図３】図３は、減速機の断面構造の一部を拡大した図である。
【図４】図４は、回転部材の他の構成例を説明するための図である。
【発明を実施するための形態】
【０００９】
以下に図面を参照して本発明の例示的な実施形態を説明する。
【００１０】
なお、本明細書では、減速機１００において、後述する回転軸ＲＡと平行な方向を「軸方向」と呼ぶ。軸方向に沿って後述する回転部材１から後述する蓋部２３に向かう方向を軸方向一方側として「軸方向後側」と呼び、軸方向に沿って蓋部２３から回転部材１に向かう方向を軸方向他方側として「軸方向前側」と呼ぶ。各々の構成要素において、軸方向後側における端部を「後端部」と呼び、軸方向前側における端部を「前端部」と呼ぶ。また、各々の構成要素において、軸方向後側を向く面を「背面」と呼び、軸方向前側を向く面を「前面」と呼ぶ。
【００１１】
回転軸ＲＡに直交する方向を「径方向」と呼び、回転軸ＲＡを中心とする回転方向を「周方向」と呼ぶ。径方向に沿って回転軸ＲＡに向かう方向を「径方向内側」と呼び、径方向に沿って回転軸ＲＡから離れる方向を「径方向外側」と呼ぶ。各々の構成要素において、径方向内側における端部を「内端部」と呼び、径方向外側における端部を「外端部」と呼ぶ。また、各々の構成要素の側面において、径方向内側を向く側面を「内側面」と呼び、径方向外側を向く側面を「外側面」と呼ぶ。
【００１２】
また、径方向のうち、軸方向から見て回転部材１の幅が最も長くなる方向ＬＤを「長径方向ＬＤ」と呼び、軸方向から見て回転部材１の幅が最も短くなる方向ＳＤを「短径方向ＳＤ」と呼ぶ。さらに、径方向のうち、長径方向成分と短径方向成分とが同じ割合となる方向ＭＤを「中間方向ＭＤ」と呼ぶ。なお、「長径方向ＬＤ」、「短径方向ＳＤ」、及び「中間方向ＭＤ」は、回転部材１が回転すると、回転部材１の回転運動に伴って、回転軸ＲＡを中心にして周方向に回転する。
【００１３】
なお、以上に説明した方向、端部、及び面などの呼称は、実際の機器に組み込まれた場合での位置関係及び方向などを示すものではない。
【００１４】
＜１．実施形態＞
図１は、減速機１００の一例を示す断面図である。なお、図１は、減速機１００の一例を示す断面構造である。図２は、軸方向前側から見た減速機１００の正面図である。図３は、減速機１００の断面構造の一部を拡大した図である。なお、図１では、回転軸ＲＡを含む平面で減速機１００を切断した場合の断面構造を示している。また、図３は、図１において、破線で囲まれた部分に対応している。
【００１５】
＜１−１．減速機の構成＞
減速機１００は、回転部材１と、外歯歯車２と、内歯歯車３と、ベアリング４と、を備える波動歯車減速機である。減速機１００は、回転部材１の回転を減速し、該回転部材１の回転力を外歯歯車２を介して内歯歯車３に伝達する。回転部材１は、回転基部１１と、回転部被覆膜１２と、孔部１１１と、を有する。外歯歯車２は、複数の外歯２１と、可撓性を有する筒部２２と、蓋部２３と、シャフト２４と、を有する。筒部２２は、筒状基部２２１と、筒部被覆膜２２２と、を有する。内歯歯車３は、回転軸ＲＡを囲む環状である。内歯歯車３は、複数の内歯３１を有する。複数の内歯３１は、内歯歯車３の内側面に設けられ、周方向に並んでいる。ベアリング４は、外歯歯車２のシャフト２４と内歯歯車３との間に設けられている。ベアリング４を介して、内歯歯車３は、外歯歯車２のシャフト２４を回転可能に保持している。ベアリング４は、本実施形態ではボールベアリングであるが、この例示に限定されず、たとえばスリーブベアリングなどの他の種類のベアリングであってもよい。なお、シャフト２４及び内歯歯車３間の間隔は各構成要素１〜３の径方向サイズと比較しても十分に広く、ベアリング４には一般に流通している安価な製品を用いることができる。そのため、ベアリング４は、本発明において減速機１００を小型化及び安価にすることに悪影響を与えない。このほか、減速機１００には被覆膜Ｃが設けられているが、被覆膜Ｃの構成は後述する。
【００１６】
＜１−１−１．回転部材の構成＞
回転部材１は、回転軸ＲＡから見て長径及び短径を有する形状であり、回転軸ＲＡを中心に回転可能である。回転部材１は、外歯歯車２の内部に位置し、より具体的には筒部２２よりも径方向内側に位置している。
【００１７】
回転部材１は、いわゆるカムであり、軸方向から見て、回転軸ＲＡからの距離が一定でない周辺を有し、回転しながらその周辺で他の部材に種々の運動を与える。本実施形態では、回転部材１は、回転しながらその外側面で外歯歯車２に、周方向の回転運動と径方向の変形運動とを与えている。
【００１８】
回転部材１の外側面は、筒部２２の内側面である筒部内側面２２ａと摺動可能且つ直接に接している。このようにすれば、回転部材１が外歯歯車２の筒部内側面２２ａと直接に接することにより、たとえば回転する回転部材１がボールベアリングを介して外歯歯車２の筒部内側面２２ａと間接に接する構成と比べて、減速機１００をより小型化することができる。また、上記のボールベアリングを介して間接に接する構成と比べて、本実施形態の減速機１００は、より少ない部品数で回転部材１のトルクを内歯歯車３に伝達することができるので、減速機１００の製造コストを低減できる。従って、より小型化且つ安価な減速機１００を提供することができる。
【００１９】
回転部材１の外側面は、回転部材１の長径方向ＬＤにおいて、軸方向前側に向かうにつれて径方向外側に傾く傾斜面１ａを含んでいる。このようにすれば、回転部材１の回転に応じて、筒部２２が径方向に変形すると、回転軸ＲＡと平行な軸方向に対して筒部内側面２２ａが傾斜する。この際、回転部材１の長径方向ＬＤでは、筒部２２が径方向外側に変形する。そのため、筒部内側面２２ａは、軸方向前側に向かうにつれて径方向外側に傾き、回転部材１の同様に傾く傾斜面１ａと面接触し易くなる。従って、回転部材１の長径方向ＬＤにおいて、回転部材１に傾斜面１ａが設けられない構成よりも広い両者の接触面積を確保できるので、いわゆる面圧と呼ばれる回転部材１が筒部内側面２２ａに及ぼす圧力をより小さくできる。よって、回転部材１及び筒部２２が摩耗され難くなるので、回転部材１及び筒部２２の寿命をより長くすることができる。
【００２０】
軸方向に対する傾斜面１ａの傾斜角度θ（図３参照）は、０．１°以上且つ１．０°以下であることが好ましい。このようにすれば、回転部材１の傾斜面１ａの軸方向に対する
傾斜角度θが、筒部内側面２２ａが軸方向に対して傾斜する角度と同じになり易くなる。
従って、回転部材１の傾斜面１ａが筒部内側面２２ａとより面接触し易くなる。
【００２１】
軸方向に対する傾斜面１ａの傾斜角度θは、回転部材１の長径方向ＬＤから短径方向Ｓ
Ｄに向かうにつれて小さくなり、回転部材１の中間方向ＭＤにおいて０°となる。
【００２２】
なお、回転部材１の中間方向ＭＤから短径方向ＳＤにおいて、傾斜面１ａは軸方向と平行であってもよく、すなわち、傾斜面１ａの傾斜角度θが０°であってもよい。このようにすれば、周方向の全域において、傾斜面１ａの軸方向に対する傾斜角度θが筒部内側面２２ａが軸方向に対して傾斜する角度とさらに同じになり易くなり、接触面積をさらに広くすることができる。従って、回転部材１及び筒部２２の摩耗をより効果的に抑制でき、回転部材１及び筒部２２をさらに長寿命化できる。
【００２３】
或いは、傾斜面１ａは、回転部材１の短径方向ＳＤにおいて、軸方向前側に向かうにつれて径方向内側に傾いていてもよい。
【００２４】
このほか、回転部材１の短径方向ＳＤにおいて、回転部材１の外側面は、筒部内側面２２ａから径方向内側に離れていてもよい（図４参照）。図４では、回転部材１の外側面の一部が筒部内側面２２ａと摺動可能且つ直接に接しており、回転部材１の外側面の他の一部が筒部内側面２２ａから径方向内側に離れている。より具体的には、回転部材１の長径方向ＬＤから中間方向ＭＤにおいては、回転部材１の外側面は筒部内側面２２ａと摺動可能且つ直接に接している。一方、回転部材１の中間方向ＭＤから短径方向ＳＤにおいては、回転部材１の外側面は、筒部内側面２２ａから離れている。この際、たとえば、回転部材１の中間方向ＭＤから短径方向ＳＤにかけての軸方向から見た円弧部分が軸方向に渡ってカットされていてもよい。言い換えると、軸方向から見た回転部材１の外形は、長径方向ＬＤから中間方向ＭＤにおいては円弧形状であり、中間方向ＭＤから短径方向ＳＤにおいては図４のような直線状又は筒部内側面２２ａから径方向に離れた曲線形状であってもよい。とりわけ、図４のように、回転部材１の中間方向ＭＤから短径方向ＳＤにおいて回転部材１の外端部を軸方向から見て直線状にすることで、回転部材１を容易に成形しやすくなる。
【００２５】
回転部材１の主材料は、含油焼結金属、セラミック、及びプラスチックのうちのいずれかである。より具体的には、回転基部１１の材料が、含油焼結金属、セラミック、及びプラスチックのうちのいずれかである。含油焼結金属は、油成分を含む多孔質な金属材料であり、たとえばＦｅ−Ｃｕ系金属粉の焼結体に潤滑油又は潤滑グリースなどの油成分を含浸させて該焼結体の内部に保有させることにより作製できる。また、セラミックは、たとえば、アルミナ−チタンカーバイド（Ａｌ2Ｏ3−ＴｉＣ）系の材料である。プラスチックは、たとえばＰＴＦＥ（ｐｏｌｙｔｅｔｒａｆｌｕｏｒｏｅｔｈｙｌｅｎｅ）である。摺動特性が良好なこれらの材料を用いることにより、トルクの伝達損失をさらに低減し、減速機１００の効率低下をさらに抑制できる。
【００２６】
回転部被覆膜１２は、回転基部１１の外側面に設けられ、回転部材１の外側面のうちの少なくとも筒部内側面２２ａと接する領域に設けられている。このようにすれば、回転部材１から外歯歯車２へのトルクの伝達損失を低減できる。さらに、回転部被覆膜１２によって、回転部材１の摩耗を抑制できる。回転部被覆膜１２は、減速機１００が備える被覆膜Ｃの一部である。
【００２７】
なお、回転基部１１の材料に含油焼結金属が用いられる場合、回転部被覆膜１２は、回転基部１１の外側面に設けられてもよいが、回転基部１１の外側面に設けられないことが好ましい。言い換えると、含油焼結金属が用いられる場合には、回転基部１１が直接に筒部内側面２２ａに接していることが好ましい。こうすれば、回転基部１１を構成する含油焼結金属から回転基部１１の外側面に滲み出る油成分が回転部被覆膜１２で遮断されないようにすることができる。従って、滲み出た油成分の潤滑作用により、回転部材１から外歯歯車２へのトルクの伝達損失を低減して、回転部材１の摩耗を抑制することができる。  
【００２８】
孔部１１１は、軸方向から見て回転基部１１の中央に設けられ、回転基部１１を軸方向に貫通している。孔部１１１にはたとえば図示しない回転電動機のロータシャフトが連結される。該回転電動機により回転部材１が回転駆動される。
【００２９】
＜１−１−２．外歯歯車の構成＞
外歯歯車２は、内歯歯車３よりも径方向内側に位置しており、回転軸ＲＡを中心に回転可能である。
【００３０】
複数の外歯２１は、外歯歯車２の筒部２２の外側面に設けられ、周方向に並んでいる。外歯歯車２の外歯２１は、回転部材１の長径方向ＬＤにおいて内歯歯車３の内歯３１と噛み合っており、回転部材１の短径方向ＳＤにおいて内歯歯車３の内歯３１から離れている。外歯２１の数は、内歯歯車３の内歯３１の数よりも少ない。そのため、回転部材１が１回転すると、周方向において、外歯歯車２の回転位置は、内歯歯車３の回転位置よりも、内歯３１の数から外歯２１の数を引いた歯数差に応じた距離分、回転部材１の回転方向に離れる。この作用により外歯歯車２の回転は歯数差に応じた比で減速され、内歯歯車３は外歯歯車２から伝達された減速後の回転力を出力する。
【００３１】
筒部２２は、回転軸ＲＡを囲む筒状であり、蓋部２３から軸方向前側に延びている。筒部２２は、可撓性を有し、径方向に変形可能である。本実施形態では、軸方向から見て筒部２２は、筒部内側面２２ａに回転部材１の外側面が接することにより、長径及び短径を有する回転部材１と同じ形状に撓められている（図３参照）。
【００３２】
筒部被覆膜２２２は、筒状基部２２１の内側面に設けられ、より具体的には、筒部内側面２２ａのうちの少なくとも回転部材１と接する領域に設けられている。このようにすれば、回転部材１から外歯歯車２へのトルクの伝達損失を低減できる。さらに、筒部被覆膜２２２によって、筒部２２の摩耗を抑制できる。筒部被覆膜２２２は、減速機１００が備える被覆膜Ｃの一部である。
【００３３】
蓋部２３は、回転軸ＲＡと平行な軸方向において、回転部材１よりも軸方向後側に位置する。蓋部２３は、本実施形態では軸方向から見て円形である。
【００３４】
シャフト２４は、蓋部２３から軸方向後側に延びている。
【００３５】
＜１−１−３．被覆膜の構成＞
次に、被覆膜Ｃの構成を説明する。回転部材１と外歯歯車２の筒部２２とのうちの少なくとも一方は被覆膜Ｃを有している。本実施形態では、回転部材１及び筒部２２の両方が被覆膜Ｃを有している。但し、この例示に限定されず、回転部材１及び筒部２２のうちのどちらかが被覆膜Ｃを有していてもよい。つまり、回転部材１は回転部被覆膜１２を有しているが、筒部２２は筒部被覆膜２２２を有していない構成であってよい。或いは、筒部２２は筒部被覆膜２２２を有しているが、回転部材１は回転部被覆膜１２を有していない構成であってもよい。
【００３６】
このようにすれば、たとえば回転部材１と筒部２２との間の摩擦を低減するための被覆膜Ｃによって、回転部材１が筒部内側面２２ａを摺動することによるトルクの伝達損失を低減できる。従って、減速機１００の効率低下を抑制できる。さらに、回転部材１及び筒部２２の摩耗を被覆膜Ｃによって抑制できる。
【００３７】
被覆膜Ｃは、ＤＬＣ（diamond-like carbon：ダイヤモンド状炭素）膜、フッ素樹脂膜、潤滑剤を含む樹脂膜、及び、フッ素樹脂を含むニッケルめっきのうちのいずれかである。なお、潤滑剤は、グラファイト（黒鉛）、二硫化モリブデン（ＭｏＳ2）、及びフッ素樹脂のうちの少なくともいずれかを含む。また、潤滑剤を含む樹脂膜は、たとえば、ポリアミドイミド樹脂、ポリイミド樹脂、及びエポキシ樹脂のうちのいずれかに上述のような潤滑剤が混合された複合樹脂材料を用いて設けられる膜である。
【００３８】
ＤＬＣ膜、フッ素樹脂膜、潤滑剤を含む樹脂膜、及び、フッ素樹脂を含むニッケルめっきは、回転基部１１及び筒状基部２２１に用いられる前述の材料と比べて、摩擦係数が小さい。従って、これらの材料を被覆膜Ｃに用いることにより、回転部材１から外歯歯車２の筒部２２へのトルクの伝達損失をより低減できる。
【００３９】
被覆膜ＣがＤＬＣ膜、及び、フッ素樹脂を含むニッケルめっきのうちのどちらかである場合、被覆膜Ｃの算術平均粗さＲａは０．２［μｍ］以下であることが好ましい。また、被覆膜Ｃがフッ素樹脂膜、及び、潤滑剤を含む樹脂膜のうちのどちらかである場合、被覆膜Ｃの算術平均粗さＲａは０．４［μｍ］以下であることが好ましい。なお、これらの面粗度は、ＪＩＳ  Ｂ０６０１：２００１（対応国際規格ＩＳＯ  ４２８７：１９９７）に規定された算術平均粗さＲａを採用している。また、面粗度の測定には、本実施形態では、ＪＩＳ  Ｂ０６５１：２００１（対応国際規格ＩＳＯ  ３２７４：１９９６）に規定された触針式表面粗さ測定機を使用している。
【００４０】
被覆膜Ｃの算術平均粗さＲａを上記の範囲内とすることにより、減速機１００の初期使用時における被覆膜Ｃの初期摩耗量を抑えることができる。たとえば、初期使用時では、被覆膜Ｃを設けた部材の寸法が初期の摩耗量に応じて変化する。回転部材１及び筒部２２のうちの少なくとも一方に設けられた被覆膜Ｃの表面粗さが算術平均粗さＲａで上記の範囲内であれば、被覆膜Ｃを設けた部材の寸法変化に起因する減速機１００の性能低下があまり顕著にならない程度に、被覆膜Ｃの初期摩耗量を抑えることができる。
【００４１】
＜２．その他＞
以上、本発明の実施形態について説明した。なお、本発明の範囲は上述の実施形態に限定されない。本発明は、発明の主旨を逸脱しない範囲で種々の変更を加えて実施することができる。また、上述の実施形態で説明した事項は、矛盾を生じない範囲で適宜任意に組み合わせることができる。
【００４２】
本発明は、回転部材の回転力を減速して内歯歯車に伝達する減速機に有用である。
【符号の説明】
【００４３】
１００・・・減速機、１・・・回転部材、１ａ・・・傾斜面、１１・・・回転基部、１１１・・・孔部、１２・・・回転部被覆膜、２・・・外歯歯車、２１・・・外歯、２２・・・筒部、２２ａ・・・筒部内側面、２２１・・・筒状基部、２２２・・・筒部被覆膜、２３・・・蓋部、２４・・・シャフト、３・・・内歯歯車、３１・・・内歯、４・・・ベアリング、θ・・・傾斜角度、Ｃ・・・被覆膜、ＲＡ・・・回転軸、ＬＤ・・・長径方向、ＳＤ・・・短径方向、ＭＤ・・・中間方向
【図１】
2019038983.tif 000003
【図２】
2019038983.tif 000004
【図３】
2019038983.tif 000005
【図４】
2019038983.tif 000006
【国際調査報告】
2019038983.tif 000007
2019038983.tif 000008
2019038983.tif 000009
2019038983.tif 000010